(57)【特許請求の範囲】
【請求項１】
複数の撮像パラメータからなる撮像条件に基づいて被検体にＲＦ波を照射し、当該ＲＦ波に応じて被検体から発せられる磁気共鳴信号を検出して画像を再構成する撮像を行う磁気共鳴イメージング装置であって、
撮像条件に含まれる複数の撮像パラメータのうち撮像目的に応じて一部の複数の撮像パラメータをグループ化したプリセット情報を記憶するプリセット情報記憶手段と、
前記撮像の撮像条件を設定する際に、登録済みの撮像プロトコルに関する撮像条件に含まれる複数の撮像パラメータの中から、前記プリセット情報によってグループ化されている前記一部の複数の撮像パラメータのうち操作者によって選択された撮像パラメータと一致する撮像パラメータをコピーし、コピーした撮像パラメータを用いて前記撮像条件を設定する撮像条件設定手段と、
を備えたことを特徴とする磁気共鳴イメージング装置。
【請求項２】
前記撮像目的に係る情報の入力を受け付ける撮像目的入力受付手段をさらに備え、
前記プリセット情報記憶手段は、前記撮像目的に係る情報に対応付けて前記プリセット情報を記憶し、
前記撮像条件設定手段は、前記撮像目的入力受付手段により前記撮像目的に係る情報の入力が受け付けられた場合に、当該撮像目的に対応するプリセット情報を前記プリセット情報記憶手段により記憶されたプリセット情報の中から取得し、取得したプリセット情報によってグループ化されている撮像パラメータのうち操作者によって選択された撮像パラメータと一致する撮像パラメータをコピーして、前記撮像条件を設定することを特徴とする請求項１に記載の磁気共鳴イメージング装置。
【請求項３】
登録済みの撮像プロトコルに係る情報の入力を受け付ける撮像プロトコル入力受付手段をさらに備え、
前記撮像条件設定手段は、前記撮像プロトコル入力受付手段により前記撮像プロトコルに係る情報の入力が受け付けられた場合に、当該撮像プロトコルに関する複数の撮像パラメータの中から、前記一部の複数の撮像パラメータのうち操作者によって選択された撮像パラメータと一致する撮像パラメータをコピーして、前記撮像条件を設定することを特徴とする請求項１または２に記載の磁気共鳴イメージング装置。
【請求項４】
前記プリセット情報記憶手段により記憶されたプリセット情報によってグループ化されている撮像パラメータからの撮像パラメータの選択を受け付ける撮像パラメータ選択受付手段をさらに備え、
前記撮像条件設定手段は、前記登録済みの撮像プロトコルに関する複数の撮像パラメータの中から、前記一部の複数の撮像パラメータのうち前記撮像パラメータ選択受付手段により選択が受け付けられた撮像パラメータと一致する撮像パラメータをコピーして、前記撮像条件を設定することを特徴とする請求項３に記載の磁気共鳴イメージング装置。
【請求項５】
前記複数の撮像パラメータのうちグループ化の対象となる撮像パラメータの選択を受け付けるグループ化対象パラメータ選択受付手段と、
前記グループ化対象パラメータ選択受付手段により選択が受け付けられた撮像パラメータを含むプリセット情報を前記プリセット情報記憶手段に記憶させるプリセット情報設定手段と、
をさらに備えたことを特徴とする請求項１〜４のいずれか一つに記載の磁気共鳴イメージング装置。
【請求項６】
前記撮像パラメータ間の依存関係を示す依存関係情報を記憶する依存関係情報記憶手段をさらに備え、
前記撮像条件設定手段は、前記撮像条件を設定する際に、前記依存関係情報記憶手段により記憶された依存関係情報に基づいて、当該撮像条件に含まれる複数の撮像パラメータ間の依存関係をチェックすることを特徴とする請求項１〜５のいずれか一つに記載の磁気共鳴イメージング装置。
【請求項７】
前記撮像手法に係る情報の入力を受け付ける撮像手法入力受付手段をさらに備え、
前記プリセット情報記憶手段は、前記撮像手法に係る情報に対応付けて前記プリセット情報を記憶し、
前記撮像条件設定手段は、前記撮像手法入力受付手段により入力が受け付けられた撮像手法に係る情報に対応するプリセット情報を前記プリセット情報記憶手段により記憶されたプリセット情報の中から取得し、取得したプリセット情報によってグループ化されている撮像パラメータのうち操作者によって選択された撮像パラメータと一致する撮像パラメータをコピーして、前記撮像条件を設定することを特徴とする請求項１〜６のいずれか一つに記載の磁気共鳴イメージング装置。
【請求項８】
磁気共鳴イメージング装置による被検体の撮像に際して複数の撮像パラメータからなる撮像条件を設定する撮像条件設定装置であって、
撮像条件に含まれる複数の撮像パラメータのうち撮像目的に応じて一部の複数の撮像パラメータをグループ化したプリセット情報を記憶するプリセット情報記憶手段と、
前記撮像の撮像条件を設定する際に、登録済みの撮像プロトコルに関する撮像条件に含まれる複数の撮像パラメータの中から、前記プリセット情報によってグループ化されている前記一部の複数の撮像パラメータのうち操作者によって選択された撮像パラメータと一致する撮像パラメータをコピーし、コピーした撮像パラメータを用いて前記撮像条件を設定する撮像条件設定手段と、
を備えたことを特徴とする撮像条件設定装置。
【請求項９】
磁気共鳴イメージング装置による被検体の撮像に際して複数の撮像パラメータからなる撮像条件を設定する撮像条件設定プログラムであって、
撮像条件に含まれる複数の撮像パラメータのうち撮像目的に応じて一部の複数の撮像パラメータをグループ化したプリセット情報を記憶装置に記憶させるプリセット情報記憶手順と、
前記撮像の撮像条件を設定する際に、登録済みの撮像プロトコルに関する撮像条件に含まれる複数の撮像パラメータの中から、前記プリセット情報によってグループ化されている前記一部の複数の撮像パラメータのうち操作者によって選択された撮像パラメータと一致する撮像パラメータをコピーし、コピーした撮像パラメータを用いて前記撮像条件を設定する撮像条件設定手順と、
をコンピュータに実行させることを特徴とする撮像条件設定プログラム。
【発明の詳細な説明】
【技術分野】
【０００１】
この発明は、複数の撮像パラメータからなる撮像条件に基づいて被検体にＲＦ（Radio Frequency）波を照射し、当該ＲＦ波に応じて被検体から発せられる磁気共鳴信号を検出して画像を再構成する磁気共鳴イメージング装置、撮像条件設定装置および撮像条件設定プログラムに関し、特に、撮像に際して行われる撮像条件の設定に関する。
【背景技術】
【０００２】
従来、磁気共鳴イメージング装置は、操作者により指定された撮像条件に基づいて、磁気共鳴現象を利用して被検体内に関するデータを収集し、収集したデータから画像を再構成する装置である。ここで、操作者によって指定される撮像条件には、たとえば、ＴＲ（繰り返し時間：repetition time）、ＴＥ（エコー時間：echo time）、スライス枚数、スライス厚、ＦＯＶ（撮影視野：Field Of View）等、多数の撮像パラメータが含まれる。
【０００３】
これら撮像パラメータは、種類が多い（約７００種類となる場合もある）うえに、一方の撮像パラメータのパラメータ値によって他方の撮像パラメータのパラメータ値が制約されるというように互いに依存関係をもつものも多い。そのため、従来の磁気共鳴イメージング装置では、撮像条件を設定するために多大な労力が必要となっており、これまでにも、撮像条件の設定を容易にするためのさまざまな技術が考案されている。
【０００４】
たとえば、特許文献１には、あらかじめ撮像パラメータごとに優先順位を設定しておき、最も優先順位が高い撮像パラメータのパラメータ値が入力された後に、そのパラメータ値が変わらないように他の撮像パラメータのパラメータ値の許容範囲を算出し、算出した許容範囲内で操作者にパラメータ値を設定させることによって、撮像パラメータ間の依存関係をチェックしながら効率よく撮像条件を設定する技術が開示されている。
【０００５】
この技術は、撮像パラメータをひとつずつ設定する場合には有効である。しかし、前述したように、磁気共鳴イメージング装置において用いられる撮像パラメータは非常に種類が多いため、複数の撮像パラメータを同時に設定したいという利用者からの要望がある。
【０００６】
この要望に応えるため、従来、複数の撮像パラメータを同時に設定するための技術も考案されている。図１０および１１は、複数の撮像パラメータを同時に設定するための従来技術の一例を説明するための図（１）および（２）である。
【０００７】
たとえば、図１０に示すように、複数の撮像パラメータを設定するための撮像条件設定画面において、あらかじめ操作者によって「連動モード」が選ばれていた場合に、設定される頻度が高い特定の撮像パラメータのパラメータ値が変更された際に、関連する他の撮像パラメータのパラメータ値も自動的に変更する技術がある。同図の例では、「ＰＥ−撮像領域（ＰＥ−ＦＯＶ）」のパラメータ値が変更された際に、関連する「ＲＯ−撮像領域（ＲＯ−ＦＯＶ）」のパラメータ値も自動的に「ＰＥ−撮像領域」と同じ値に変更されている。
【０００８】
または、図１１に示すように、図１０と同じ撮像条件設定画面において、操作者によって「プラン選択」が選ばれた場合に、設定済みの撮像プロトコル（同図（１）に示す「Ｌｏｃａｔｏｒ  ＡＸ／ＣＯ」〜「ＦＬＥＩＲ  ＡＸ」）のリストを表示し、リストから選択された撮像プロトコルの撮像条件から撮像パラメータのパラメータ値をコピーして新たな撮像条件として設定する技術がある。ここで、コピーの対象となる撮像パラメータは、あらかじめ操作者によって、所定の画面（たとえば、同図（２）に示す画面。）に表示された特定の撮像パラメータの中から選択される。
【０００９】
【特許文献１】特開２００６−２５５１８９号公報
【発明の開示】
【発明が解決しようとする課題】
【００１０】
しかしながら、上述した撮像条件の設定では、特定の撮像パラメータ（たとえば、「ＰＥ−撮像領域」と「ＲＯ−撮像領域」）に限らず、たとえば撮像目的等に応じて、任意に選択された複数の撮像パラメータを同時に設定したいという要求がある。この要求に対して、上述した従来の技術では、撮像条件を設定する単位が撮像パラメータごとであったり、同時に複数の撮像パラメータを設定できる場合でも、設定可能な撮像パラメータが特定のパラメータに限られていたりするため、任意に選択された複数の撮像パラメータを同時に設定することができないという問題があった。
【００１１】
この発明は、上述した従来技術による問題点を解消するためになされたものであり、特定の撮像パラメータに限らず、選択された複数の撮像パラメータを同時に設定することができる磁気共鳴イメージング装置、撮像条件設定装置および撮像条件設定プログラムを提供することを目的とする。
【課題を解決するための手段】
【００１２】
上述した課題を解決し、目的を達成するため、本発明は、複数の撮像パラメータからなる撮像条件に基づいて被検体にＲＦ波を照射し、当該ＲＦ波に応じて被検体から発せられる磁気共鳴信号を検出して画像を再構成する磁気共鳴イメージング装置であって、操作者からの指示に基づいてグループ化された複数の撮像パラメータに係る情報を含むプリセット情報を記憶するプリセット情報記憶手段と、前記プリセット情報記憶手段により記憶されたプリセット情報においてグループ化されている撮像パラメータに係る情報に基づいて、前記撮像条件を設定する撮像条件設定手段と、を備えたことを特徴とする。
【００１３】
また、本発明は、磁気共鳴イメージング装置による被検体の撮像に際して複数の撮像パラメータからなる撮像条件を設定する撮像条件設定装置であって、操作者からの指示に基づいてグループ化された複数の撮像パラメータに係る情報を含むプリセット情報を記憶するプリセット情報記憶手段と、前記プリセット情報記憶手段により記憶されたプリセット情報においてグループ化されている撮像パラメータに係る情報に基づいて、前記撮像条件を設定する撮像条件設定手段と、を備えたことを特徴とする。
【００１４】
また、本発明は、磁気共鳴イメージング装置による被検体の撮像に際して複数の撮像パラメータからなる撮像条件を設定する撮像条件設定プログラムであって、操作者からの指示に基づいてグループ化された複数の撮像パラメータに係る情報を含むプリセット情報を記憶装置に記憶させるプリセット情報記憶手順と、前記プリセット情報記憶手順により記憶されたプリセット情報においてグループ化されている撮像パラメータに係る情報に基づいて、前記撮像条件を設定する撮像条件設定手順と、をコンピュータに実行させることを特徴とする。
【発明の効果】
【００１５】
本発明によれば、特定の撮像パラメータに限らず、選択された複数の撮像パラメータを同時に設定することができるという効果を奏する。
【発明を実施するための最良の形態】
【００１６】
以下に添付図面を参照して、この発明に係る磁気共鳴イメージング装置、撮像条件設定装置よび撮像条件設定プログラムの好適な実施例を詳細に説明する。なお、以下では、磁気共鳴イメージング装置を「ＭＲＩ（Magnetic Resonance Imaging）装置」と呼び、被検体から発せられる磁気共鳴信号を「ＭＲ信号」と呼ぶ。
【実施例】
【００１７】
本実施例に係るＭＲＩ装置は、操作者からの指示に基づいてグループ化された複数の撮像パラメータを含むプリセット情報を記憶しておき、そのプリセット情報においてグループ化されている撮像パラメータに基づいて撮像条件を設定することを主な特徴としている。そして、この特徴により、本実施例に係るＭＲＩ装置では、特定の撮像パラメータに限らず、任意に選択された複数の撮像パラメータを同時に設定することができるようにしている。以下、このＭＲＩ装置の構成および処理手順について順に説明してゆく。
【００１８】
まず、図１を用いて、本実施例に係るＭＲＩ装置の全体構成について説明する。図１は、本実施例に係るＭＲＩ装置の全体構成を示す図である。同図に示すように、このＭＲＩ装置は、静磁場磁石１と、傾斜磁場コイル２と、ＲＦコイル３と、静磁場電源４と、傾斜磁場電源５と、送信器６と、受信器７と、シーケンス制御装置８と、コンソール装置１００とから構成される。
【００１９】
静磁場磁石１は、筒状に形成された磁石であり、静磁場電源４から供給される電流により、被検体Ｐが配置される筒内部の空間に静磁場Ｈ０を発生させる。傾斜磁場コイル２は、静磁場磁石１の内側に配設された３対のコイルであり、傾斜磁場電源５から供給される電流により、静磁場磁石１の内側にｘ，ｙ，ｚの３方向に沿った傾斜磁場を発生させる。
【００２０】
ＲＦコイル３は、静磁場磁石１の開口部内で被検体Ｐに対向するように配設された受信コイルであり、送信器６から送信されるＲＦパルスを被検体Ｐに照射し、また、励起によって被検体Ｐの水素原子核から放出されるＭＲ信号を受信する。静磁場電源４は、静磁場磁石１に電流を供給する電源であり、傾斜磁場電源５は、シーケンス制御装置８からの指示に基づいて、傾斜磁場コイル２に電流を供給する電源である。
【００２１】
送信器６は、シーケンス制御装置８からの指示に基づいて、ＲＦコイル３にＲＦパルスを送信する装置である。受信器７は、ＲＦコイル３により受信されたＭＲ信号を検出し、検出したＭＲ信号をデジタル化することによって得られる生データをシーケンス制御装置８に対して送信する。
【００２２】
シーケンス制御装置８は、コンソール装置１００から送信されるシーケンス情報に基づいて傾斜磁場電源５、送信器６および受信器７をそれぞれ駆動することによって、被検体Ｐのスキャンを行う装置である。シーケンス制御装置８は、被検体Ｐのスキャンを行った結果、受信器７から生データが送信されると、その生データをコンソール装置１００に送信する。
【００２３】
なお、ここで、シーケンス情報とは、傾斜磁場電源５が傾斜磁場コイル２に供給する電源の強さや電源を供給するタイミング、送信器６がＲＦコイル３に送信するＲＦパルスの強さやＲＦパルスを送信するタイミング、受信器７がＭＲ信号を検出するタイミングなど、スキャンを行う際の手順を定義した情報である。
【００２４】
コンソール装置１００は、操作者から各種指示を受け付け、受け付けた指示に基づいてＭＲＩ装置全体の制御を行うとともに、シーケンス制御装置８から送信される生データに基づいて被検体の画像を再構成する装置である。このコンソール装置１００の構成については、後に詳細に説明する。
【００２５】
また、ここでは図示を省略しているが、ＭＲＩ装置は、静磁場磁石１と、傾斜磁場コイル２と、ＲＦコイル３などが搭載される架台や、被検体Ｐを載せるための天板、天板を架台の内外へ移動する寝台なども備えている。
【００２６】
次に、図２を用いて、図１に示したコンソール装置１００の構成について説明する。図２は、図１に示したコンソール装置１００の構成を示す機能ブロック図である。同図に示すように、このコンソール装置１００は、入力部１１０と、表示部１２０と、記憶部１３０と、制御部１４０とを有する。
【００２７】
入力部１１０は、操作者から各種入力を受け付けるための入力手段であり、マウスやトラックボールなどのポインティングデバイスやキーボードなどにより実現され、後述する表示部１２０と協働することによって、各種操作を受け付けるためのユーザインタフェースを操作者に対して提供する。
【００２８】
表示部１２０は、撮像画像など各種情報を表示するための出力手段であり、ＣＲＴ（Cathode Ray Tube）ディスプレイや液晶ディスプレイなどのモニタ装置により実現される。この表示部１２０は、後述する主制御部１４１による制御のもと、操作者に対する各種メッセージや、後述する画像再構成部１４３により再構成される被検体の再構成画像などを表示する。
【００２９】
記憶部１３０は、各種情報を記憶する記憶手段であり、画像記憶部１３１と、プリセット情報記憶部１３２と、依存関係情報記憶部１３３と、撮像条件情報記憶部１３４とを有する。画像記憶部１３１は、後述する画像再構成部１４３によって再構成された再構成画像を記憶する記憶部である。
【００３０】
プリセット情報記憶部１３２は、操作者からの指示に基づいてグループ化された複数の撮像パラメータを含むプリセット情報を記憶する記憶部である。図３は、プリセット情報記憶部１３２により記憶されるプリセット情報の一例を示す図である。このプリセット情報記憶部１３２により記憶されるプリセット情報は、操作者によって、後述するプリセット情報設定画面を用いて、撮像目的や撮像手法に応じて設定される。
【００３１】
具体的には、このプリセット情報記憶部１３２は、同図に示すように、撮像目的を示す「プリセット名」と、撮像手法の分類を示す「シーケンスカテゴリ」と、撮像手法の種類を示す「シーケンス」と、プリセット情報の種類を示す「プリセットタイプ」と、「ＴＥ」や「ＴＲ」、「Ｉｍａｇｉｎｇ  Ｆｌｉｐ  Ａｎｇｌｅ」、「Ｉｍａｇｉｎｇ  Ｆｌｏｐ  Ａｎｇｌｅ」、「Ｉｎｖｅｒｓｉｏｎ  Ｐｕｌｓｅ」、「Ｆａｔｓａｔ  Ｐｕｌｓｅ」などの複数の撮像パラメータとを対応付けた情報をプリセット情報として記憶する。
【００３２】
たとえば、同図に示すように、プリセット名には、「高コントラスト」や「高解像度」など、撮像目的を示す情報が設定される。また、シーケンスカテゴリには、撮像目的に応じて「ＦＡＳＥ（Fast Advanced Spin Echo）」や「ＦＳＥ（Fast Spin Echo）」、「ＦＥ（Field Echo）」、「ＳＥ（Spin Echo）」など、撮像手法の分類を示す情報が設定され、シーケンスには、シーケンスカテゴリに応じて「ＦＡＳＥ＋５」や「ＦＡＳＥ＋１０」など、撮像手法を示す情報が設定される。
【００３３】
また、プリセットタイプには、「プリセット」や「プラン選択」など、プリセット情報の用途を表す情報が設定される。このプリセットタイプは、後述する主制御部１４１によってプリセット情報が参照される際に、その用途に応じて利用される。
【００３４】
また、複数の撮像パラメータには、それぞれ、選択フラグ（同図に示す「選択」）とパラメータ値（同図に示す「値」）とが含まれている。ここで、ひとつのプリセット情報の中で選択フラグが「１」になっている撮像パラメータは、それらがグループ化されていることを示している。
【００３５】
依存関係情報記憶部１３３は、撮像パラメータ間の依存関係を示す依存関係情報を記憶する記憶部である。具体的には、この依存関係情報記憶部１３３は、撮像パラメータごとに、他の１つ以上の撮像パラメータとの依存関係を定義した依存関係関数を含む情報を、依存関係情報として記憶する。
【００３６】
なお、ここでいう依存関係関数とは、ある撮像パラメータについて、他の撮像パラメータとの関係に基づいて許容範囲を算出するための関数であり、この依存関係関数を用いて撮像パラメータの許容範囲を算出することによって、設定された撮像パラメータの妥当性をチェックすることができる。かかる依存関係関数を含む依存関係情報は、ＭＲＩ装置の開発者などによって開発時に作成され、あらかじめ依存関係情報記憶部１３３に登録される。
【００３７】
撮像条件情報記憶部１３４は、設定済みの撮像プロトコルごとに撮像条件を示す撮像条件情報を記憶する記憶部である。具体的には、この撮像条件情報記憶部１３４は、撮像プロトコルを示す情報と、撮像条件となる複数の撮像パラメータとを対応付けた撮像条件情報を撮像プロトコルごとに記憶する。この撮像条件情報記憶部１３４により記憶される撮像条件情報は、操作者によって、後述する撮像条件設定画面を用いて登録される。
【００３８】
制御部１４０は、ＯＳ（Operating System）などの制御プログラム、各種の処理手順などを規定したプログラムおよび所要データを格納するための内部メモリを有し、これらにより種々の処理を実行する処理部であり、主制御部１４１と、シーケンス制御部１４２と、画像再構成部１４３と、プリセット情報設定部１４４と、撮像条件設定部１４５とを有する。
【００３９】
主制御部１４１は、入力部１１０を介して操作者から各種情報の入力を受け付け、受け付けた情報に基づいて、各機能部の動作を制御する処理部である。この主制御部１４１は、たとえば、複数の撮像パラメータの中からグループ化の対象となる撮像パラメータを選択するための「プリセット情報設定画面」や、撮像条件に関する情報を入力するための「撮像条件設定画面」を用いて、操作者からの入力を受け付ける。以下、これらふたつの画面について詳細に説明する。
【００４０】
最初に、プリセット情報設定画面について説明する。図４は、プリセット情報設定画面の一例を示す図である。たとえば、主制御部１４１は、操作者からの表示要求に応じて、同図に示すように、撮像パラメータ入力領域１１と、タブ１２ａ〜１２ｅと、シーケンスカテゴリ入力プルダウン１３と、シーケンス入力プルダウン１４と、プリセットタイプ入力プルダウン１５と、プリセット名入力ボックス１６と、保存ボタン１７と、終了ボタン１８とから構成されたプリセット情報設定画面１０を表示部１２０に表示する。
【００４１】
このプリセット情報設定画面１０を用いて、操作者は、撮像目的や撮像手法などに応じて撮像パラメータをグループ化するとともに、グループ化した撮像パラメータを含むプリセット情報の登録を行うことができる。
【００４２】
撮像パラメータ入力領域１１は、グループ化の対象となる撮像パラメータの選択、および、撮像パラメータごとにパラメータ値を設定するための領域である。この撮像パラメータ入力領域１１は、撮像パラメータの分類ごとに用意されており、各撮像パラメータ入力領域１１には、撮像パラメータごとに、撮像パラメータを選択するためのチェックボックス１１ａと、パラメータ値を入力するためのパラメータ値入力ボックス１１ｂとが表示される。この撮像パラメータ入力領域１１において撮像パラメータを選択することにより、操作者は、複数の撮像パラメータを任意にグループ化することができる。
【００４３】
タブ１２ａ〜１２ｅは、撮像パラメータ入力領域１１の表示を切り替えるためのタブであり、撮像パラメータの分類ごとに用意されている。これらタブ１２ａ〜１２ｅのうちいずれかのタブを選択することによって、操作者は、撮像パラメータの分類ごとに撮像パラメータを選択したり、パラメータ値を設定したりすることができる。
【００４４】
シーケンスカテゴリ入力プルダウン１３は、撮像手法の分類を示す情報を入力するためのプルダウンメニューである。このシーケンスカテゴリ入力プルダウン１３を用いることによって、操作者は、あらかじめ定義されている複数の撮像手法の分類の中からひとつの撮像手法を選択し、選択した撮像手法の分類を、撮像パラメータ入力領域１１でグループ化した撮像パラメータ（チェックボックス１１ａをチェックした撮像パラメータ）に対して対応付けることができる。
【００４５】
シーケンス入力プルダウン１４は、撮像手法の種類を示す情報を入力するためのプルダウンメニューである。このシーケンス入力プルダウン１４を用いることによって、操作者は、あらかじめ定義されている複数の撮像手法の中からひとつの撮像手法を選択し、選択した撮像手法を、撮像パラメータ入力領域１１でグループ化した撮像パラメータ（チェックボックス１１ａをチェックした撮像パラメータ）に対して対応付けることができる。
【００４６】
プリセットタイプ入力プルダウン１５は、プリセット情報の用途を示す情報を入力するためのプルダウンメニューである。このプリセットタイプ入力プルダウン１５を用いることによって、操作者は、あらかじめ定義されているプリセットタイプの中からひとつのプリセットタイプを選択し、選択したプリセットタイプを、撮像パラメータ入力領域１１でグループ化した撮像パラメータ（チェックボックス１１ａをチェックした撮像パラメータ）に対して対応付けることができる。
【００４７】
プリセット名入力ボックス１６は、撮像目的を示す情報を入力するためのボックスである。このプリセット名入力ボックス１６を用いることによって、操作者は、任意の名称のプリセット名を入力し、入力したプリセット名を、撮像パラメータ入力領域１１でグループ化した撮像パラメータ（チェックボックス１１ａをチェックした撮像パラメータ）に対して対応付けることができる。
【００４８】
保存ボタン１７は、プリセット情報設定画面１０から入力された各情報をプリセット情報として登録する指示を操作者から受け付けるためのボタンである。終了ボタン１８は、プリセット情報設定画面１０を閉じる指示を操作者から受け付けるためのボタンである。
【００４９】
以上、プリセット情報設定画面１０について説明したが、このプリセット情報設定画面１０を用いて入力された各情報は、操作者によって保存ボタン１７が押下されたタイミングで後述するプリセット情報設定部１４４に送られ、プリセット情報設定部１４４によって、撮像パラメータ間の依存関係のチェックが行われたうえで、プリセット情報としてプリセット情報記憶部１３２に登録される。
【００５０】
続いて、撮像条件設定画面について説明する。図５および６は、撮像条件設定画面の一例を示す図（１）および（２）である。たとえば、主制御部１４１は、操作者からの表示要求に応じて、図５に示すように、各種撮像パラメータとそれら撮像パラメータのパラメータ値を入力するためのボックスとが表示された撮像条件設定領域２１と、各種メニューが表示されたメニューバー２２と、各種操作ボタンが表示された操作バー２３とから構成された撮像条件設定画面２０を表示部１２０に表示する。
【００５１】
この撮像条件設定画面２０を用いて、操作者は、撮像条件に関する情報を入力するが、その際に、メニューバー２２に含まれる「プリセット選択」を選ぶことによって、あらかじめ登録されているプリセット情報を用いて、撮像目的に応じて複数の撮像パラメータを同時に設定したり、「プラン選択」を選ぶことによって、すでに設定済みの撮像プロトコルの撮像条件から複数の撮像パラメータをコピーし、コピーした複数の撮像パラメータを同時に設定したりすることができる。
【００５２】
まず、操作者によって「プリセット選択」が選ばれた場合には、主制御部１４１は、プリセット情報記憶部１３２により記憶されているプリセット情報を参照して、プリセットタイプが「プリセット」であるプリセット情報を抽出する。そして、主制御部１４１は、抽出したプリセット情報に基づいてプリセット名のリスト２４を生成し、生成したリスト２４を撮像条件設定画面２０上に表示する（図５を参照）。
【００５３】
ここで、主制御部１４１は、撮像条件設定画面２０において、シーケンスカテゴリおよびシーケンスを示す撮像パラメータが入力されていた場合には、プリセット情報を抽出する際に、入力されているシーケンスカテゴリおよびシーケンスに基づいてプリセット情報を絞り込んだうえで、プリセット名のリスト２４を生成して表示する。
【００５４】
そして、操作者によって、リスト２４に表示されたプリセット名の中からいずれかのプリセット名が選択された場合には、主制御部１４１は、選択されたプリセット名に対応するプリセット情報をプリセット情報記憶部１３２から取得し、取得したプリセット情報に含まれる撮像パラメータを後述する撮像条件設定部１４５に送る。撮像条件設定部１４５に送られた撮像パラメータは、撮像条件設定部１４５によって、他の撮像パラメータとの間の依存関係がチェックされる。そして、いずれかの依存関係にエラーがあった場合には、エラーとなった撮像パラメータが撮像条件設定部１４５から通知される。
【００５５】
ここで、エラーとなった撮像パラメータが通知された場合には、主制御部１４１は、その撮像パラメータを撮像条件設定画面２０に表示する。そして、操作者によって、エラーとなった撮像パラメータが修正されると、主制御部１４１は、修正された撮像パラメータを撮像条件設定部１４５に送り、再度、依存関係のチェックを試みる。
【００５６】
主制御部１４１は、かかる依存関係のチェックを、撮像条件設定部１４５から依存関係のエラーがないことが通知されるまで繰り返す。そして、依存関係のエラーがないことが撮像条件設定部１４５から通知されると、主制御部１４１は、修正された撮像パラメータを含む全ての撮像パラメータを撮像条件設定画面２０の撮像条件設定領域２１に表示する。
【００５７】
その後、主制御部１４１は、操作者によって操作バーの「登録＆終了」ボタンが押下されると、撮像条件設定画面２０に表示した撮像パラメータを撮像条件設定部１４５に送るとともに、当該撮像パラメータに基づいて撮像条件情報を登録するよう指示する。
【００５８】
一方、操作者によって「プラン選択」が選ばれた場合には、主制御部１４１は、撮像条件情報記憶部１３４により記憶されている撮像条件情報を取得し、取得した撮像条件情報に基づいて、設定済みの撮像プロトコルのリスト２５を生成し、撮像条件設定画面２０上に表示する（図６（１）を参照）。なお、この時、主制御部１４１は、撮像プロトコルのリスト２５とともに、撮像パラメータ選択（Ｅｎｔｒｉｅｓ）ボタン２６も表示する。
【００５９】
ここで、操作者によって撮像パラメータ選択ボタン２６が押下された場合には、主制御部１４１は、プリセット情報設定部１４４により記憶されているプリセット情報を参照して、プリセットタイプが「プラン選択」であり、かつ、撮像条件設定画面２０において入力されているシーケンスカテゴリおよびシーケンスに対応し、かつ、選択フラグが「１」となっているプリセット情報を特定して抽出する。
【００６０】
そして、主制御部１４１は、抽出したプリセット情報に含まれる撮像パラメータごとに、撮像パラメータに対応付けられたチェックボックスと、撮像パラメータの名称とを表示した「撮像パラメータ選択画面」３０を生成し、表示部１２０に表示する（図６（２）を参照）。この撮像パラメータ選択画面３０に表示される撮像パラメータは、プリセット情報においてグループ化されている撮像パラメータの組み合わせに応じて変化することになる。
【００６１】
なお、撮像パラメータ選択画面３０を表示する際に、主制御部１４１は、撮像パラメータごとに対応付けられたチェックボックスを全てチェックした状態にしておくが、操作者が必要に応じてチェックを外すこともできるようにしておく。
【００６２】
そして、主制御部１４１は、操作者によって保存（Ｓａｖｅ）ボタン３１が押下された場合には、その時点でチェックボックスがチェックされている撮像パラメータを内部メモリなどに保存したうえで、撮像パラメータ選択画面３０を閉じる。
【００６３】
その後、操作者によって、撮像条件設定画面２０上に表示された撮像プロトコルのリスト２５の中からいずれかの撮像プロトコルが選択された場合には、主制御部１４１は、選択された撮像プロトコルに対応する撮像条件情報を撮像条件情報記憶部１３４により記憶されている撮像条件情報の中から取得する。
【００６４】
そして、主制御部１４１は、取得した撮像条件情報に含まれている撮像パラメータの中から、内部メモリに保存されている撮像パラメータと一致する撮像パラメータをコピーし、コピーした撮像パラメータを後述する撮像条件設定部１４５に送る。撮像条件設定部１４５に送られた撮像パラメータは、撮像条件設定部１４５によって、他の撮像パラメータとの間の依存関係がチェックされる。そして、いずれかの依存関係にエラーがあった場合には、エラーとなった撮像パラメータが撮像条件設定部１４５から通知される。
【００６５】
ここで、エラーとなった撮像パラメータが通知された場合には、主制御部１４１は、その撮像パラメータを撮像条件設定画面２０に表示する。そして、操作者によって、エラーとなった撮像パラメータが修正されると、主制御部１４１は、修正された撮像パラメータを撮像条件設定部１４５に送り、再度、依存関係のチェックを試みる。
【００６６】
主制御部１４１は、かかる依存関係のチェックを、撮像条件設定部１４５から依存関係のエラーがないことが通知されるまで繰り返す。そして、依存関係のエラーがないことが撮像条件設定部１４５から通知されると、主制御部１４１は、修正された撮像パラメータを含む全ての撮像パラメータを撮像条件設定画面２０の撮像条件設定領域２１に表示する。
【００６７】
その後、主制御部１４１は、操作者によって操作バーの「登録＆終了」ボタンが押下されると、撮像条件設定画面２０に表示した撮像パラメータを撮像条件設定部１４５に送るとともに、当該撮像パラメータに基づいて撮像条件情報を登録するよう指示する。
【００６８】
なお、ここでは、主制御部１４１が、設定済みの撮像プロトコルの撮像パラメータの中からパラメータ値をコピーし、コピーしたパラメータ値を撮像条件設定画面２０の撮像条件設定領域２１に表示することとしたが、たとえば、プリセット情報においてパラメータ値が設定されている撮像パラメータについては、設定済みの撮像プロトコルの撮像パラメータではなく、プリセット情報の撮像パラメータからパラメータ値をコピーするようにしてもよい。
【００６９】
こうして、撮像パラメータを登録した後に、主制御部１４１は、操作者から撮像指示を受け付けた場合には、指示された撮像プロトコルの撮像条件情報を撮像条件情報記憶部１３４から取得し、取得した撮像条件に基づいてシーケンス情報を生成し、シーケンス制御部１４２に対して送信する。このシーケンス情報は、シーケンス制御部１４２を介してシーケンス制御装置８に送信される。これにより、シーケンス制御装置８によって被検体Ｐのスキャンが行われる。
【００７０】
シーケンス制御部１４２は、シーケンス制御装置８との間でやり取りされるデータの送受信を制御する処理部である。具体的には、このシーケンス制御部１４２は、主制御部１４１からシーケンス情報が送信されると、そのシーケンス情報をシーケンス制御装置８に対して送信する。そして、シーケンス制御装置８から生データが送信されると、シーケンス制御部１４２は、送信された生データを後述する画像再構成部１４３に対して引き渡す。
【００７１】
画像再構成部１４３は、シーケンス制御部１４２から引き渡される生データに基づいて画像を再構成する処理部である。具体的には、この画像再構成部１４３は、主制御部１４１による制御のもと、シーケンス制御部１４２から引き渡される生データをｋ空間データに変換し、そのｋ空間データに対してフーリエ変換処理などの所定の画像再構成処理を行うことによって２次元画像または３次元画像を再構成する。
【００７２】
プリセット情報設定部１４４は、操作者によってグループ化された撮像パラメータを含むプリセット情報をプリセット情報記憶部１３２に登録する処理部である。
【００７３】
具体的には、このプリセット情報設定部１４４は、前述したプリセット情報設定画面１０において保存ボタン１７が押下され、プリセット名、シーケンスカテゴリ、シーケンス、プリセットタイプ、および、撮像パラメータのグループを含む情報が主制御部１４１から送られると、送られた撮像パラメータに対応する依存関係情報を、依存関係情報記憶部１３３により記憶されている依存関係情報の中から取得する。
【００７４】
続いて、プリセット情報設定部１４４は、送られた撮像パラメータごとに、取得した依存関係情報に含まれる依存関係関数に基づいて許容範囲を算出し、算出した許容範囲に撮像パラメータのパラメータ値が収まっているか否かを検知する。
【００７５】
そして、パラメータ値が許容範囲に収まっていない撮像パラメータがあった場合には、プリセット情報設定部１４４は、主制御部１４１を介して、当該撮像パラメータが他の撮像パラメータとの間の依存関係においてエラーとなっていることを通知する。これにより操作者に対して撮像パラメータの修正を促すことができる。一方、全ての撮像パラメータのパラメータ値がそれぞれの許容範囲に収まっていた場合には、各撮像パラメータからなるプリセット情報を生成して、プリセット情報記憶部１３２に記憶する。
【００７６】
撮像条件設定部１４５は、プリセット情報記憶部１３２により記憶されたプリセット情報においてグループ化されている撮像パラメータに基づいて撮像条件を設定する処理部である。
【００７７】
具体的には、この撮像条件設定部１４５は、主制御部１４１から撮像パラメータが送られると、送られた撮像パラメータに対応する依存関係情報を、依存関係情報記憶部１３３により記憶されている依存関係情報の中から取得する。続いて、撮像条件設定部１４５は、送られた撮像パラメータごとに、取得した依存関係情報に含まれる依存関係関数に基づいて許容範囲を算出し、算出した許容範囲に撮像パラメータのパラメータ値が収まっているか否かを検知する。
【００７８】
そして、撮像条件設定部１４５は、パラメータ値が許容範囲に収まっていない撮像パラメータがあった場合には、当該撮像パラメータを、他の撮像パラメータとの間の依存関係においてエラーがあるものとして主制御部１４１に通知する。一方、全ての撮像パラメータのパラメータ値がそれぞれの許容範囲に収まっていた場合には、撮像条件設定部１４５は、依存関係のエラーがないことを主制御部１４１に通知する。
【００７９】
また、撮像条件設定部１４５は、主制御部１４１から撮像条件情報を登録するよう指示された場合には、その指示とともに送られる撮像パラメータに基づいて撮像条件情報を生成し、生成した撮像条件情報を撮像条件情報記憶部１３４に記憶する。
【００８０】
次に、本実施例に係るコンソール装置１００の処理手順について説明する。図７は、プリセット情報の設定に関する処理手順を示すフローチャートであり、図８は、プリセット選択による撮像条件設定に関する処理手順を示すフローチャートであり、図９は、プラン選択による撮像条件設定に関する処理手順を示すフローチャートである。
【００８１】
最初に、図７を用いて、プリセット情報の設定に関する処理手順を説明する。同図に示すように、コンソール装置１００では、主制御部１４１が、操作者からの要求に応じてプリセット情報設定画面１０を表示し（ステップＳ１０１）、撮像パラメータの選択およびパラメータ値の入力を受け付ける（ステップＳ１０２）。
【００８２】
そして、プリセット情報設定画面１０において保存ボタンが押下された場合には（ステップＳ１０３，Ｙｅｓ）、プリセット情報設定部１４４が、撮像パラメータ間の依存関係をチェックし（ステップＳ１０４）、エラーがなかった場合には（ステップＳ１０５，Ｙｅｓ）、プリセット情報を登録する（ステップＳ１０６）。
【００８３】
一方、プリセット情報設定部１４４は、依存関係にエラーがあった場合には（ステップＳ１０５，Ｎｏ）、エラーになった撮像パラメータを操作者に対して通知する（ステップＳ１０７）。そして、主制御部１４１が、プリセット情報設定画面１０からエラーになった撮像パラメータの修正を受け付け（ステップＳ１０８）、再度、保存ボタンが押下されるのを待つ（ステップＳ１０３へもどる）。
【００８４】
こうして、主制御部１４１およびプリセット情報設定部１４４は、撮像パラメータ間の依存関係にエラーがなくなるまで、上述した撮像パラメータの修正の受け付けおよび依存関係のチェックを繰り返す。
【００８５】
次に、図８を用いて、プリセット選択による撮像条件設定に関する処理手順を説明する。同図に示すように、コンソール装置１００では、操作者によって撮像条件設定画面２０において「プリセット選択」が選ばれると（ステップＳ２０１，Ｙｅｓ）、主制御部１４１が、プリセット情報のプリセット名のリスト２４を表示する（ステップＳ２０２）。
【００８６】
そして、操作者によってリスト２４からプリセット名が選択された場合には（ステップＳ２０３，Ｙｅｓ）、主制御部１４１が、選択されたプリセット名に対応するプリセット情報をプリセット情報記憶部１３２から取得し（ステップＳ２０４）、撮像条件設定部１４５が、主制御部１４１によって取得されたプリセット情報に含まれる撮像パラメータ間の依存関係をチェックする（ステップＳ２０５）。
【００８７】
ここで、依存関係にエラーがあった場合には（ステップＳ２０６，Ｎｏ）、主制御部１４１が、エラーになった撮像パラメータを操作者に対して通知し（ステップＳ２０７）、撮像条件設定画面２０を介して、エラーになった撮像パラメータが修正されるのを待つ。
【００８８】
そして、主制御部１４１が、エラーになった撮像パラメータの修正を受け付けると（ステップＳ２０８）、撮像条件設定部１４５が、再度、撮像パラメータ間の依存関係をチェックする（ステップＳ２０５にもどる）。
【００８９】
こうして、依存関係にエラーがなくなるまで、撮像パラメータの修正およびチェックが行われ、エラーがなくなった場合には（ステップＳ２０６，Ｙｅｓ）、主制御部１４１が、撮像パラメータを撮像条件設定画面２０に表示する（ステップＳ２０９）。
【００９０】
そして、操作者によって「登録＆終了」ボタンが押下されると（ステップＳ２１０，Ｙｅｓ）、撮像条件設定部１４５が、撮像条件情報記憶部１３４に撮像条件情報を登録する（ステップＳ２１１）。
【００９１】
次に、図９を用いて、プラン選択による撮像条件設定に関する処理手順を説明する。同図に示すように、コンソール装置１００では、操作者によって撮像条件設定画面２０において「プラン選択」が選ばれると（ステップＳ３０１，Ｙｅｓ）、主制御部１４１が、撮像パラメータ選択ボタン２６および撮像プロトコルのリスト２５を表示する（ステップＳ３０２）。
【００９２】
ここで、操作者によって撮像パラメータ選択ボタン２６が押下された場合には（ステップＳ３０３，Ｙｅｓ）、主制御部１４１は、撮像パラメータ選択画面３０を表示し（ステップＳ３０４）、操作者から撮像パラメータの選択を受け付ける（ステップＳ３０５）。
【００９３】
その後、撮像パラメータ選択画面３０において保存ボタン３１が押下されると（ステップＳ３０６，Ｙｅｓ）、主制御部１４１は、その時点で選択されている撮像パラメータを内部メモリに保存する（ステップＳ３０７）。
【００９４】
そして、操作者によってリスト２５から撮像プロトコルが選択された場合には（ステップＳ３０８，Ｙｅｓ）、主制御部１４１が、選択された撮像プロトコルの撮像条件から、内部メモリに保存されている撮像パラメータと一致する撮像パラメータをコピーし（ステップＳ３０９）、撮像条件設定部１４５が、主制御部１４１によって取得されたプリセット情報に含まれる撮像パラメータ間の依存関係をチェックする（ステップＳ３１０）。
【００９５】
ここで、依存関係にエラーがあった場合には（ステップＳ３１１，Ｎｏ）、主制御部１４１が、エラーになった撮像パラメータを操作者に対して通知し（ステップＳ３１２）、撮像条件設定画面２０を介して、エラーになった撮像パラメータが修正されるのを待つ。
【００９６】
そして、主制御部１４１が、エラーになった撮像パラメータの修正を受け付けると（ステップＳ３１３）、撮像条件設定部１４５が、再度、撮像パラメータ間の依存関係をチェックする（ステップＳ３１０にもどる）。
【００９７】
こうして、依存関係にエラーがなくなるまで、撮像パラメータの修正およびチェックが行われ、エラーがなくなった場合には（ステップＳ３１１，Ｙｅｓ）、主制御部１４１が、撮像パラメータを撮像条件設定画面２０に表示する（ステップＳ３１４）。
【００９８】
そして、操作者によって「登録＆終了」ボタンが押下されると（ステップＳ３１５，Ｙｅｓ）、撮像条件設定部１４５が、撮像条件情報記憶部１３４に撮像条件情報を登録する（ステップＳ３１６）。
【００９９】
上述してきたように、本実施例では、プリセット情報記憶部１３２が、操作者からの指示に基づいてグループ化された複数の撮像パラメータに係る情報を含むプリセット情報を記憶し、撮像条件設定部１４５が、プリセット情報記憶部１３２により記憶されたプリセット情報においてグループ化されている撮像パラメータのパラメータ値に基づいて撮像条件を設定するので、特定の撮像パラメータに限らず、任意に選択された複数の撮像パラメータを同時に設定することができる。
【０１００】
また、本実施例では、プリセット情報記憶部１３２に記憶されるプリセット情報には、撮像目的を示すプリセット情報が含まれており、主制御部１４１が、撮像条件設定画面２０を介してプリセット名の入力を受け付け、受け付けたプリセット名に対応するプリセット情報をプリセット情報記憶部１３２により記憶されたプリセット情報の中から取得する。そして、撮像条件設定部１４５が、当該プリセット情報においてグループ化されている撮像パラメータのパラメータ値に基づいて、撮像条件を設定するので、撮像の目的に応じて、複数の撮像パラメータを同時に設定することができる。
【０１０１】
また、本実施例では、主制御部１４１が、撮像条件設定画面２０を介して、設定済みの撮像プロトコルの入力を受け付け、入力された撮像プロトコルにおける撮像条件に含まれている撮像パラメータのパラメータ値から、プリセット情報においてグループ化されている撮像パラメータと一致する撮像パラメータのパラメータ値をコピーする。そして、撮像条件設定部１４５が、当該撮像パラメータのパラメータ値に基づいて、撮像条件を設定するので、すでに設定されている撮像プロトコルの撮像条件を流用することによって、効率よく複数の撮像パラメータを設定することができる。
【０１０２】
また、本実施例では、主制御部１４１が、撮像パラメータ選択画面３０を介して、プリセット情報記憶部１３２により記憶されたプリセット情報においてグループ化されている撮像パラメータからの撮像パラメータの選択を受け付け、設定済みの撮像プロトコルにおける撮像条件に含まれている撮像パラメータのパラメータ値から前記撮像パラメータを取得する際には、選択を受け付けた撮像パラメータと一致する撮像パラメータのパラメータ値をコピーするので、すでに設定されている撮像プロトコルの撮像条件を流用する際に、必要な撮像パラメータを選択することが可能になり、さらに効率よく撮像パラメータを設定することができる。
【０１０３】
また、本実施例では、主制御部１４１が、プリセット情報設定画面１０を介して、複数の撮像パラメータのうちグループ化の対象となる撮像パラメータの選択を受け付け、プリセット情報設定部１４４が、主制御部１４１より選択が受け付けられた撮像パラメータのパラメータ値を含むプリセット情報をプリセット情報記憶部１３２に記憶させるので、撮像条件として同時に設定する撮像パラメータを操作者が任意に選択することが可能になる。
【０１０４】
また、本実施例では、依存関係情報記憶部１３３が、撮像パラメータ間の依存関係を示す依存関係情報を記憶し、撮像条件設定部１４５が、撮像パラメータに係る情報に基づいて撮像条件を設定する際に、依存関係情報記憶部１３３により記憶された依存関係情報に基づいて、当該撮像パラメータ間の依存関係をチェックするので、撮像条件として設定しようとしている撮像パラメータ間の依存関係が自動的にチェックされるので、適切な撮像条件を容易に設定することが可能になる。
【０１０５】
また、本実施例では、プリセット情報記憶部１３２には、撮像手法を示すシーケンスカテゴリおよびシーケンスが含まれており、主制御部１４１が、プリセット情報設定画面１０を介して、シーケンスカテゴリおよびシーケンスの入力を受け付け、受け付けたシーケンスカテゴリおよびシーケンスに対応するプリセット情報をプリセット情報記憶部１３２により記憶されたプリセット情報の中から取得する。そして、撮像条件設定部１４５が、当該プリセット情報においてグループ化されている撮像パラメータのパラメータ値に基づいて、撮像条件を設定するので、撮像手法に応じて、適切な複数の撮像パラメータを同時に設定することができる。
【０１０６】
なお、本実施例において図示した各装置の各構成要素は機能概念的なものであり、必ずしも物理的に図示のように構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。
【産業上の利用可能性】
【０１０７】
以上のように、本発明に係る磁気共鳴イメージング装置、撮像条件設定装置および撮像条件設定プログラムは、撮像に際して複数の撮像パラメータを撮像条件として設定する場合に有用であり、特に、特定の撮像パラメータに限らず、複数の撮像パラメータを同時に設定することが求められる場合に適している。
【図面の簡単な説明】
【０１０８】
【図１】本実施例に係るＭＲＩ装置の全体構成を示す図である。
【図２】図１に示したコンソール装置の構成を示す機能ブロック図である。
【図３】プリセット情報記憶部により記憶されるプリセット情報の一例を示す図である。
【図４】プリセット情報設定画面の一例を示す図である。
【図５】撮像条件設定画面の一例を示す図（１）である。
【図６】撮像条件設定画面の一例を示す図（２）である。
【図７】プリセット情報の設定に関する処理手順を示すフローチャートである。
【図８】プリセット選択による撮像条件設定に関する処理手順を示すフローチャートである。
【図９】プラン選択による撮像条件設定に関する処理手順を示すフローチャートである。
【図１０】複数の撮像パラメータを同時に設定するための従来技術の一例を説明するための図（１）である。
【図１１】複数の撮像パラメータを同時に設定するための従来技術の一例を説明するための図（２）である。
【符号の説明】
【０１０９】
１    静磁場磁石
２    傾斜磁場コイル
３    ＲＦコイル
４    静磁場電源
５    傾斜磁場電源
６    送信器
７    受信器
８    シーケンス制御装置
１０    プリセット情報設定画面
１１    撮像パラメータ入力領域
１１ａ    チェックボックス
１１ｂ    パラメータ値入力ボックス
１２ａ〜１２ｅ    タブ
１３    シーケンスカテゴリ入力プルダウン
１４    シーケンス入力プルダウン
１５    プリセットタイプ入力プルダウン
１６    プリセット名入力ボックス
１７    保存ボタン
１８    終了ボタン
２０    撮像条件設定画面
２１    撮像条件設定領域
２２    メニューバー
２３    操作バー
２４    プリセット名のリスト
２５    撮像プロトコルのリスト
２６    撮像パラメータ選択（Ｅｎｔｒｉｅｓ）ボタン
３０    撮像パラメータ選択画面
３１    保存（Ｓａｖｅ）ボタン
１００    コンソール装置
１１０    入力部
１２０    表示部
１３０    記憶部
１３１    画像記憶部
１３２    プリセット情報記憶部
１３３    依存関係情報記憶部
１３４    撮像条件情報記憶部
１４０    制御部
１４１    主制御部
１４２    シーケンス制御部
１４３    画像再構成部
１４４    プリセット情報設定部
１４５    撮像条件設定部
【図１】
0005398145.tif 000002
【図２】
0005398145.tif 000003
【図３】
0005398145.tif 000004
【図４】
0005398145.tif 000005
【図５】
0005398145.tif 000006
【図６】
0005398145.tif 000007
【図７】
0005398145.tif 000008
【図８】
0005398145.tif 000009
【図９】
0005398145.tif 000010
【図１０】
0005398145.tif 000011
【図１１】
0005398145.tif 000012